(57)【要約】【課題】  シート状部材の大きさを変化させることなく、必要な画像情報をシート状部材に記入することができるようにし、シート状部材に用いられたインク等が点状となって再生部品に現れるのを防止することができるようにする。【解決手段】  シート状部材５０は、前ドア３０２と相溶性のある熱可塑性樹脂からなっており、前ドア３０２に貼付される。このシート状部材５０は、画像情報５１ａが記入された部分である画像情報記入部５１と、画像情報５１ａが記入されない部分である画像情報無記入部５２とを有している。画像情報記入部５１では、画像情報表示色が、前ドア３０２の下地色と同じ色相を有している。画像情報表示色は、前ドア３０２の下地色と異なる明度又は彩度を有している。画像情報無記入部５２の下地色は、画像情報記入部５１の画像情報表示色および前ドア３０２の下地色と異なる明度又は彩度を有している。【選択図】      図２
2005305978.tif 000002
【特許請求の範囲】
【請求項１】
熱可塑性樹脂からなるリサイクル可能な部品と、
前記部品と相溶性のある熱可塑性樹脂からなり前記部品に貼付され、画像情報が記入された部分である画像情報記入部と、前記画像情報が記入されない部分である画像情報無記入部とを有するシート状部材とを、
備え、
前記画像情報記入部では、画像情報表示色が、前記部品の下地色と同じ色相を有し、前記部品の下地色と異なる明度又は彩度を有する、
電子機器。
【請求項２】
前記画像情報無記入部では、下地色が、前記部品の下地色と同じ色相を有し、前記画像情報記入部の画像情報表示色および前記部品の下地色と異なる明度又は彩度を有する、
請求項１に記載の電気機器。
【請求項３】
前記画像情報無記入部の下地色の明度又は彩度は、前記画像情報記入部の画像情報表示色の明度又は彩度と前記部品の下地色の明度又は彩度との間で段階的に変化するように設定されている、
請求項１又は２に記載の電子機器。
【請求項４】
前記画像情報記入部の画像情報表示色および前記画像情報無記入部の下地色における前記色相、前記明度および前記彩度は、マンセル表色系に基づいて設定されている、
請求項１から３のいずれかに記載の電子機器。
【請求項５】
前記画像情報無記入部では、下地色が透明になっている、
請求項１に記載の電子機器。
【発明の詳細な説明】
【技術分野】
【０００１】
本発明は、電子機器に関する。
【背景技術】
【０００２】
複写機、プリンタ、ファクシミリおよびこれら複合機などの画像形成装置や、各種電気製品などの電子機器には、一般的に、シート状部材が貼付されている。シート状部材は、たとえば、複写機本体の各種カバーなどの部品、複写機本体内部の各種装置部品およびトナーカートリッジなどの交換部品などに貼付されている。また、シート状部材は、電子機器の部品を保護するために、電子機器部品本体や電子機器を収容するための収容ケースなどの部品に保護シートとして貼付されることもある。このようなシート状部材は、樹脂シート、樹脂フィルム、薄い樹脂板などの可撓性を有している。シート状部材は、画像情報が記入された部分である画像情報記入部と、前記画像情報が記入されない部分である画像情報無記入部とからなっている。画像情報記入部には、複写機を操作するユーザやサービスマンなどのために、簡単な取り扱い説明文や、部品交換や装置操作の順序を示す番号などの各種画像情報が記入されている。画像情報には、文字や番号だけでなく、矢印などの記号や図形が用いられることもある。
【０００３】
ところで、近年、環境保護や省資源化を図るために、電子機器製品のリサイクル化が望まれている。そこで、電子機器の各種部品を熱可塑性樹脂を用いて成形することにより、電子機器の各種部品が不用となったり廃棄されたりするときには、不用となった部品や廃棄される部品を、シュレッダ等で砕いた後、加熱溶融して再び各種の再生部品として成形して再利用するようにしている。このようにして、熱可塑性樹脂を用いて成形された各種部品は、リサイクルされる。しかしながら、リサイクル可能な部品に部品と異なる材質で形成されたシート状部材を貼付した状態で、部品をシュレッダ等で砕いて加熱溶融すると、部品とシート状部材とが十分に溶け合わないため、部品を再生部品として成形したときに、再生部品の特性が低下してしまうというおそれがある。このため、近年の電子機器部品およびシート状部材は、互いに相溶性のある熱可塑性樹脂で形成されることが多くなっている（特許文献１）。このように、電子機器部品やシート状部材を互いに相溶性のある熱可塑性樹脂で形成することにより、リサイクル時に、部品にシート状部材を貼付した状態で、部品をシュレッダ等で砕いて加熱溶融しても、再生部品の特性が低下しないようにすることができる。ここで、シート状部材の画像情報記入部の表面積は、全表面積（画像情報記入部と画像情報無記入部とをあわせた全表面積）に対して２０％以下に設定されている。この設定は、部品にシート状部材を貼付した状態で部品を再生部品としてリサイクルしたときに、シート状部材の画像情報記入部に用いられたインク等が点状となって再生部品に現れるのを防止するためになされたものである。
【特許文献１】特開平８−３４０８８号公報
【発明の開示】
【発明が解決しようとする課題】
【０００４】
従来の電子機器では、電子機器の各種部品にシート状部材を貼付した状態で部品を再生部品としてリサイクルしたときに、シート状部材の画像情報記入部に用いられたインク等が点状となって再生部品に現れるのを防止するために、シート状部材の画像情報記入部の表面積が、全表面積（画像情報記入部と画像情報無記入部とをあわせた全表面積）に対して２０％以下になるように設定されている。すると、再生部品においてインク等が点状となって現れにくくなるものの、所定の大きさのシート状部材においては、２０％以下という画像情報記入部の面積比率の制限によって、シート状部材に記入できる画像情報量が制約される。このように画像情報量が制約されないようにするためには、必要な画像情報量を２０％以下という面積比率の範囲内で確保できるようにシート状部材の大きさを大きくすることが考えられるが、シート状部材を貼付する部品によっては、シート状部材の大きさを所定の大きさ以上に設定することができない場合がある。
【０００５】
本発明の課題は、シート状部材の大きさを変化させることなく、必要な画像情報をシート状部材に記入することができるようにすることにある。
【０００６】
本発明の別の課題は、シート状部材に用いられたインク等が点状となって再生部品に現れるのを防止することができるようにすることにある。
【課題を解決するための手段】
【０００７】
請求項１に係る電子機器は、熱可塑性樹脂からなるリサイクル可能な部品と、シート状部材とを備えている。シート状部材は、リサイクル可能な部品と相溶性のある熱可塑性樹脂からなっており、リサイクル可能な部品に貼付される。このシート状部材は、画像情報が記入された部分である画像情報記入部と、画像情報が記入されない部分である画像情報無記入部とを有している。画像情報記入部では、画像情報表示色が、リサイクル可能な部品の下地色と同じ色相を有している。また、画像情報表示色は、リサイクル可能な部品の下地色と異なる明度又は彩度を有している。
【０００８】
この場合、シート状部材は、リサイクル可能な部品と相溶性のある熱可塑性樹脂からなっているので、リサイクル時に、部品にシート状部材を貼付した状態で、部品をシュレッダ等で砕いて加熱溶融しても、再生部品の特性が低下しないようにすることができる。また、シート状部材の画像情報記入部では、画像情報表示色が、リサイクル可能な部品の下地色と同じ色相を有しており、リサイクル可能な部品の下地色と異なる明度又は彩度を有している。すなわち、画像情報表示色には、リサイクル可能な部品の下地色と同系色が用いられている。このため、画像情報記入部の面積比率を２０％以下にしなくても、シート状部材の画像情報記入部に用いられたインク等が点状となって再生部品に現れるのを防止することができる。これにより、シート状部材の大きさを変化させることなく、必要な画像情報をシート状部材に記入することができるようになる。
【０００９】
請求項２に係る電子機器では、請求項１に記載の電気機器において、画像情報無記入部の下地色が、リサイクル可能な部品の下地色と同じ色相を有している。また、画像情報無記入部の下地色は、画像情報記入部の画像情報表示色およびリサイクル可能な部品の下地色と異なる明度又は彩度を有している。この場合、画像情報無記入部の下地色が、リサイクル可能な部品の下地色と同じ色相を有しているので、リサイクル時に、部品にシート状部材を貼付した状態で、部品をシュレッダ等で砕いて加熱溶融しても、再生部品の特性が低下しないようにすることができる。また、画像情報無記入部の下地色は、画像情報記入部の画像情報表示色およびリサイクル可能な部品の下地色と異なる明度又は彩度を有している。これにより、画像情報記入部の画像情報表示色にリサイクル可能な部品の下地色と同系色が用いられたとしても、必要な画像情報を見やすくすることができる。
【００１０】
請求項３に係る電子機器では、請求項１又は２に記載の電子機器において、画像情報無記入部の下地色の明度又は彩度が、画像情報記入部の画像情報表示色の明度又は彩度とリサイクル可能な部品の下地色の明度又は彩度との間で段階的に変化するように設定されている。この場合、画像情報無記入部の下地色の明度又は彩度を、画像情報記入部の画像情報表示色の明度又は彩度とリサイクル可能な部品の下地色の明度又は彩度との間で段階的に変化させている。すなわち、画像情報記入部とリサイクル可能な部品との間の領域において、画像情報無記入部の下地色には、明度又は彩度を変化させることによるグラデーション処理が施されている。これにより、画像情報記入部の画像情報表示色とリサイクル可能な部品の下地色とに対する画像情報無記入部の下地色のコントラスト比を低下させることができ、シート状部材の画像情報記入部や画像情報無記入部の下地色に用いられたインク等が点状となって再生部品に現れにくくすることができる。
【００１１】
請求項４に係る電子機器では、請求項１から３のいずれかに記載の電子機器において、画像情報記入部の画像情報表示色および画像情報無記入部の下地色における色相、明度および彩度が、マンセル表色系に基づいて設定されている。この場合、画像情報記入部の画像情報表示色および画像情報無記入部の下地色における色相、明度および彩度をマンセル表色系に基づいて設定することができるので、色相、明度および彩度の設定がしやすくなる。
【００１２】
請求項５に係る電子機器では、請求項１に記載の電子機器において、画像情報無記入部の下地色が透明になっている。この場合、画像情報無記入部の下地色が透明になっているので、画像情報無記入部の下地色に用いられたインク等が点状となって再生部品に現れるのを防止することができる。
【発明の効果】
【００１３】
本発明によれば、シート状部材は、リサイクル可能な部品と相溶性のある熱可塑性樹脂からなっているので、リサイクル時に、部品にシート状部材を貼付した状態で、部品をシュレッダ等で砕いて加熱溶融しても、再生部品の特性が低下しないようにすることができる。また、シート状部材の画像情報記入部では、画像情報表示色が、リサイクル可能な部品の下地色と同じ色相を有しており、リサイクル可能な部品の下地色と異なる明度又は彩度を有している。すなわち、画像情報表示色には、リサイクル可能な部品の下地色と同系色が用いられている。このため、画像情報記入部の面積比率を２０％以下にしなくても、シート状部材の画像情報記入部に用いられたインク等が点状となって再生部品に現れるのを防止することができる。これにより、シート状部材の大きさを変化させることなく、必要な画像情報をシート状部材に記入することができるようになる。
【発明を実施するための最良の形態】
【００１４】
図１は、本発明の一実施形態による複写機１００を示している。複写機１００はシートスルー方式と原稿固定方式の２方式の原稿画像読取りを行なうことが可能である。複写機１００は、本体ハウジング１１と、本体ハウジング１１の上部に開閉自在に載置された原稿搬送部１４とを有している。本体ハウジング１１は、上ハウジング１１Ｕと、下ハウジング１１Ｄと、下ハウジング１１Ｄおよび上ハウジング１１Ｕを連結する連結ハウジング１１Ｃとからなっている。本体ハウジング１１と上ハウジング１１Ｕの中間部には、前面と右側側面とに開口部を有するシート材スタック空間部１２が設けられている。シート材スタック空間部１２には、本体ハウジングから横方向に排出されるシート材を積載するための上シートトレイ１および下シートトレイ２が設けられている。上ハウジング１１Ｕは、手前側に操作パネル１３を有している。下ハウジング１１Ｄには、用紙の給紙部と、用紙上にトナー画像を形成する画像形成部と、用紙上のトナー画像を定着するための定着部とが内蔵されている。連結ハウジング１１Ｃは、定着後の用紙を搬送して、後述するシート材スタック空間１２の上シートトレイ１および下シートトレイ２に向けて排出するための用紙搬送路を内蔵している。原稿搬送部１４は、ヒンジ部（図示しない）によって上ハウジング１１Ｕ上に開閉自在に支持されている。
【００１５】
以上のような複写機１００において、本発明の特徴であるシート状部材について説明する。複写機１００の本体ハウジング１１は、本体フレーム（図示せず）に設けられた外装カバー３０１と本体フレームに開閉自在に設けられた前ドア３０２とを含む外装部品と、内部に収容された各種部品（図示しない）とから構成されている。ここでは、部品の一例として前ドア２を取り上げ、前ドア３０２に貼付されたシート状部材５０ａ，５０ｂの説明を行うものとする。
【００１６】
前ドア３０２は、図１に実線で示した閉位置と鎖線で示した開位置との間を開閉自在に本体フレームに支持されている。この前ドア３０２は、熱可塑性樹脂からなっており、リサイクル可能になっている。複写機の前ドア３０２は、たとえば、ＰＳ（ポリスチレン）、ＰＰＥ（ポリフェニレンエーテル）、ＡＢＳ（アクリル・ブタジエン・スチレン）、又はＰＰＯ（ポリフェニルオキサイド）などの熱可塑性樹脂により形成される。
【００１７】
シート状部材５０は、前ドア３０２と相溶性のある熱可塑性樹脂からなっており、前ドア３０２に貼付されている。前ドア３０２がＰＳからなる場合は、シート状部材５０は、たとえば、ＰＳ、およびＰＳと相溶性のあるＰＣ（ポリカーボネイト）又はＰＭＭＡ（メタクリル樹脂）などの熱可塑性樹脂により形成されるのが望ましい。前ドア３０２がＰＰＥからなる場合は、シート状部材５０は、たとえば、ＰＰＥ、およびＰＰＥと相溶性のあるＰＳ、ＰＥＴ（ポリエチレンテレフタレート）、ＡＢＳ、ＰＣ、又はＰＭＭＡなどの熱可塑性樹脂により形成されるのが望ましい。前ドア３０２がＡＢＳからなる場合は、シート状部材５０は、たとえば、ＡＢＳ、およびＡＢＳと相溶性のあるＰＳ、ＰＥＴ、ＰＣ、又はＰＭＭＡなどの熱可塑性樹脂により形成されるのが望ましい。前ドア３０２がＰＰＯからなる場合は、シート状部材５０は、たとえば、ＰＰＯ、およびＰＰＯと相溶性のあるＰＳ又はＡＢＳなどの熱可塑性樹脂により形成されるのが望ましい。このようにシート状部材５０を熱可塑性樹脂で形成することによって、シート状部材５０を前ドア３０２から剥がすことなく再生処理しても、再生部品の特性、例えば機械的な強度（曲げ強度や衝撃強度）などが低下しにくくなる。
【００１８】
シート状部材５０は、前ドア３０２と相溶性のある熱可塑性樹脂から形成されているので、熱融着によって前ドア３０２に貼付することができる。この場合、シート状部材５０を前ドア３０２に貼付するために、接着剤を使用する必要はない。一方で、シート状部材５０は、接着剤を使用して、熱融着によって前ドア３０２に貼付することもできる。この場合、シート状部材５０を前ドア３０２に貼付するために使用される接着剤の量は一般的に極く少量であるため、接着剤と、前ドア３０２およびシート状部材５０との相溶性について特に考慮しなくともよい。しかしながら、前ドア３０２とシート状部材５０とに対して相溶性のある熱可塑性樹脂からなる接着剤を使用すれば、接着剤が、再生部品の特性、例えば機械的な強度（曲げ強度や衝撃強度）に与える影響を小さくすることができる。接着剤として使用可能な熱可塑性樹脂は、たとえばＰＭＭＡがある。ＰＭＭＡからなる接着剤は、ＰＳ、ＰＰＥ、およびＡＢＳなどに対して相溶性が良好であるため、ＰＭＭＡを接着剤として使用したときは、ＰＳ、ＰＰＥ、又はＡＢＳなどの熱可塑性樹脂によって前ドア３０２とシート状部材５０とを形成することが望ましい。
【００１９】
シート状部材５０は、前ドア３０２の表面と裏面とに貼付されている。ここでは、前ドア３０２の表面に貼付されたシート状部材５０を第１シート状部材５０ａ、前ドア３０２の裏面に貼付されたシート状部材５０を第２シート状部材５０ｂとしている。第１および第２シート状部材５０ａ，５０ｂは、可撓性を有している。第１および第２シート状部材は、たとえば、シート、フィルム、又は薄い板状の部片からなっている。この第１および第２シート状部材５０ａ，５０ｂの表面に、所定の画像情報５１ａが記入されている。
【００２０】
第１および第２シート状部材５０ａ，５０ｂは、画像情報５１ａが記入される部分である画像情報記入部５１と、画像情報５１ａが記入されない部分である画像情報無記入部５２とを有している。第１シート状部材５０ａの画像情報記入部５１には、たとえば、図２に示すように、消耗品の注文先と画像形成装置の修理の連絡先からなる画像情報５１ａが記入されている。第２シート状部材５０ｂの画像情報記入部５１には、たとえば、図３に示すように、搬送トラブルをおこした用紙の除去手順を説明する画像情報５１ａが記入されている。第１および第２シート状部材５０ａ，５０ｂの画像情報記入部５１の画像情報表示色、および第１および第２シート状部材５０ａ，５０ｂの画像情報無記入部５２の下地色における色相、明度および彩度は、マンセル表色系に基づいて設定されている。
【００２１】
ここで、マンセル表色系６０の概要説明を行っておく。マンセル表色系６０は、物体色を表現するための表色系である。マンセル表色系６０では、３つの独立した色の性質（色の３属性）に基づいて、色が表現される。マンセル表色系６０の色の３属性は、図４および図５に示すように、色相６１、明度６２および彩度６３からなっている。色相（Ｈｕｅ）６１は、色味を表現するためのものである。色相６１は、赤（Ｒ）、黄（Ｙ）、緑（Ｇ）、青（Ｂ）、紫（Ｐ）の５色相を基本としている。これら５色相の中間には、黄赤（ＹＲ）、黄緑（ＧＹ）、青緑（ＢＧ）、青紫（ＰＢ）、赤紫（ＲＰ）が配されており、マンセル表色系６０の全色相は１０色相となっている。これらの１０色相は、図４および図５の矢印Iに示すように、円周上に配列されて色相環を形成している。この色相環を形成する１０色相は、色相ごとに１０段階に分割されている。なお、図４においては、各色相は、便宜上５段階に分割したものを示している。明度（Ｖａｌｕｅ）６２は、色の明るさを表現するためのものである。明度６２は、図４の矢印IIに示すように、完全吸収の理想の黒を０とし完全反射の理想の白を１０として、黒（０）と白（１０）との間を知覚的に均等な段差（等歩度）になるように１０段階に分割されている。明度６２は、たとえば、数値が１０に近いほど明るい色、０に近いほど暗い色を示すことになる。彩度（Ｃｈｒｏｍａ）６３は、色の鮮やかさを表現するためのものである。彩度６３は、図４の矢印IIIに示すように、無彩色軸（Ｎ）を中心として同心円上に配列され、中心から遠ざかるに従って鮮やかな色になるようになっている。また、マンセル表色系６０は、知覚的な等歩度性を持つように尺度化されている。マンセル表色系６０で表現された色は、マンセル記号を用いることにより、色相６１、明度６２および彩度６３がわかるようになっている。これにより、マンセル表色系６０で表現された色の類推が、マンセル記号から比較的容易に行うことができる。マンセル記号は、（色相：Ｈｕｅ）（明度：Ｖａｌｕｅ）／（彩度：Ｃｈｒｏｍａ）の順に書き表される。
【００２２】
第１および第２シート状部材５０ａ，５０ｂの画像情報記入部５１では、画像情報表示色が、前ドア３０２の下地色の色相６１、明度６２および彩度６３に基づいて、前ドア３０２の下地色と同じ色相６１を有し、前ドア３０２の下地色と異なる明度６２又は彩度６３を有している。まず、第１および第２シート状部材５０ａ，５０ｂの画像情報表示色が、前ドア３０２の下地色の色相６１、明度６２および彩度６３に基づいて、前ドア３０２の下地色と同じ色相６１および彩度６３を有し、前ドア３０２の下地色と異なる明度６２を有する場合の説明を行う。この場合、画像情報表示色の明度６２は、上限値と下限値とを有する所定の範囲内で、前ドア３０２の下地色の明度６２と異なるように設定される。たとえば、画像情報表示色の明度６２は、３（下限値）から７（上限値）の間の範囲内で、前ドア３０２の下地色の明度６２と異なるように設定される。なお、マンセル表色系６０に基づいて所定の色相６１が設定されたとき、マンセル表色系６０では、明度６２の値を、下限値３に設定できなかったり、上限値７に設定できなかったりすることがある。このときは、設定可能な範囲内での下限値と上限値とを用いて、明度６２の範囲を設定することとする。
【００２３】
具体的には、前ドア３０２の下地色が、５Ｙの色相、５の明度、および４の彩度６３を有する場合（マンセル記号：５Ｙ５／４）、第１および第２シート状部材５０ａ，５０ｂの画像情報記入部５１の画像情報表示色の色相６１は５Ｙで彩度６３は４となる。そして、第１および第２シート状部材５０ａ，５０ｂの画像情報記入部５１の画像情報表示色の明度６２は、３から７の範囲内で前ドア３０２の下地色の明度６２と異なるように設定される。ここでは、前ドア３０２の下地色の明度６２が５に設定されているので、画像情報表示色の明度６２がたとえば７に設定される場合を例としてマンセル記号を表記すると、マンセル記号は５Ｙ７／４となる。
【００２４】
次に、第１および第２シート状部材５０ａ，５０ｂの画像情報表示色が、前ドア３０２の下地色の色相６１、明度６２および彩度６３に基づいて、前ドア３０２の下地色と同じ色相６１および明度６２を有し、前ドア３０２の下地色と異なる彩度６３を有する場合の説明を行う。この場合、画像情報表示色の彩度６３は、上限値と下限値とを有する所定の範囲内で前ドア３０２の下地色の彩度６３と異なるように設定される。たとえば、画像情報表示色の彩度６３は、０．３（下限値）から１３（上限値）の間の範囲内で、前ドア３０２の下地色の彩度６３と異なるように設定される。なお、マンセル表色系６０に基づいて所定の色相６１が設定されたとき、マンセル表色系６０では、彩度６３の値を、下限値０．３に設定できなかったり、上限値１３に設定できなかったりすることがある。このときは、設定可能な範囲内での下限値と上限値とを用いて、彩度６３の範囲を設定することとする。
【００２５】
具体的には、前ドア３０２の下地色が、５Ｙの色相、６の明度、および６の彩度を有する場合（マンセル記号：５Ｙ６／６）、第１および第２シート状部材５０ａ，５０ｂの画像情報記入部５１の画像情報表示色の色相６１は５Ｙで明度６２は６となる。そして、第１および第２シート状部材５０ａ，５０ｂの画像情報記入部５１の画像情報表示色の彩度６３は、０．３から１３の範囲内で前ドア３０２の下地色の彩度６３と異なるように設定される。ここでは、前ドア３０２の下地色の明度６２が６に設定されているので、画像情報表示色の彩度６３がたとえば７に設定される場合を例としてマンセル記号を表記すると、マンセル記号は５Ｙ６／７となる。
【００２６】
第１および第２シート状部材５０ａ，５０ｂの画像情報無記入部５２では、下地色が、画像情報記入部５１の画像情報表示色および前ドア３０２の下地色の色相６１、明度６２および彩度６３に基づいて、前ドア３０２の下地色と同じ色相６１を有し、画像情報記入部５１の画像情報表示色および前ドア３０２の下地色と異なる明度６２又は彩度６３を有している。まず、第１および第２シート状部材５０ａ，５０ｂの画像情報無記入部５２の下地色が、画像情報記入部５１の画像情報表示色および前ドア３０２の下地色の色相６１、明度６２および彩度６３に基づいて、前ドア３０２の下地色と同じ色相６１および彩度６３を有し、画像情報記入部５１の画像情報表示色および前ドア３０２の下地色と異なる明度６２を有する場合の説明を行う。この場合、画像情報無記入部５２の下地色の明度６２は、上限値と下限値とを有する所定の範囲内で、前ドア３０２の下地色の明度６２と異なるように設定される。たとえば、画像情報無記入部５２の下地色の明度６２は、５（下限値）から９（上限値）の間の範囲内で、画像情報記入部５１の画像情報表示色および前ドア３０２の下地色の明度６２と異なるように設定される。
【００２７】
具体的には、画像情報記入部５１の画像情報表示色が５Ｙ７／４のマンセル記号で表記される色であり、前ドア３０２の下地色が５Ｙ５／４のマンセル記号で表記される色である場合、画像情報無記入部５２の下地色の色相６１は５Ｙとなり、画像情報無記入部５２の下地色の彩度６３は４となる。そして、画像情報無記入部５２の下地色の明度６２は、５から９の範囲内で画像情報記入部５１の画像情報表示色および前ドア３０２の下地色の明度６２と異なるように設定される。ここで、画像情報無記入部５２の下地色の明度６２が９に設定される場合を例としてマンセル記号を表記すると、マンセル記号は５Ｙ９／４となる。
【００２８】
次に、第１および第２シート状部材５０ａ，５０ｂの画像情報無記入部５２の下地色が、画像情報記入部５１の画像情報表示色および前ドア３０２の下地色の色相６１、明度６２および彩度６３に基づいて、前ドア３０２の下地色と同じ色相６１および明度６２を有し、画像情報記入部５１の画像情報表示色および前ドア３０２の下地色と異なる彩度６３を有する場合の説明を行う。この場合、画像情報無記入部５２の下地色の彩度６３は、上限値と下限値とを有する所定の範囲内で、前ドア３０２の下地色の彩度６３と異なるように設定される。たとえば、画像情報無記入部５２の下地色の彩度６３は、０．３（下限値）から１３（上限値）の間の範囲内で、画像情報記入部５１の画像情報表示色および前ドア３０２の下地色の彩度６３と異なるように設定される。
【００２９】
具体的には、画像情報記入部５１の画像情報表示色が５Ｙ６／７のマンセル記号で表記される色であり、前ドア３０２の下地色が５Ｙ６／６のマンセル記号で表記される色である場合、画像情報無記入部５２の下地色の色相６１は５Ｙとなり、画像情報無記入部５２の下地色の明度６２は６となる。そして、画像情報無記入部５２の下地色の彩度６３は、０．３から１３の範囲内で画像情報記入部５１の画像情報表示色および前ドア３０２の下地色の彩度６３と異なるように設定される。ここで、画像情報無記入部５２の下地色の彩度６３が４に設定される場合を例としてマンセル記号を表記すると、マンセル記号は５Ｙ６／４となる。
【００３０】
以上のように、本実施形態では、シート状部材５０が、リサイクル可能な前ドア３０２を含む部品と相溶性のある熱可塑性樹脂からなっているので、リサイクル時に、前ドア３０２を含む部品にシート状部材５０を貼付した状態で、部品をシュレッダ等で砕いて加熱溶融しても、再生部品の特性が低下しないようにすることができる。
【００３１】
また、シート状部材５０の画像情報記入部５１では、画像情報表示色が、リサイクル可能な前ドア３０２を含む部品の下地色と同じ色相６１を有しており、リサイクル可能な前ドア３０２を含む部品の下地色と異なる明度６２又は彩度６３を有している。すなわち、画像情報表示色には、リサイクル可能な前ドア３０２を含む部品の下地色と同系色が用いられている。このため、画像情報記入部５１の面積比率を２０％以下にしなくても、シート状部材５０の画像情報記入部５１に用いられたインク等が点状となって再生部品に現れるのを防止することができる。これにより、シート状部材５０の大きさを変化させることなく、必要な画像情報５１ａをシート状部材５０に記入することができるようになる。
【００３２】
さらに、画像情報無記入部５２の下地色が、リサイクル可能な前ドア３０２を含む部品の下地色と同じ色相６１を有している。これにより、リサイクル時に、前ドア３０２を含む部品にシート状部材５０を貼付した状態で、部品をシュレッダ等で砕いて加熱溶融しても、再生部品の特性が低下しないようにすることができる。また、画像情報無記入部５２の下地色は、画像情報記入部５１の画像情報表示色およびリサイクル可能な前ドア３０２を含む部品の下地色と異なる明度６２又は彩度６３を有している。これにより、画像情報記入部５１の画像情報表示色にリサイクル可能な前ドア３０２を含む部品の下地色と同系色が用いられたとしても、必要な画像情報５１ａを見やすくすることができる。
【００３３】
〔他の実施形態〕
（ａ）前記実施形態では、本発明が複写機に対して適用される場合の例を示したが、本発明は、複写機だけでなく、プリンタやファクシミリ等の画像形成装置や、パーソナルコンピュータやワークステーションなどのコンピュータ機器などのような電子機器に対しても適用することができる。
【００３４】
（ｂ）前記実施形態では、第１および第２シート状部材５０ａ，５０ｂの画像情報無記入部５２の下地色の明度６２又は彩度６３が、画像情報記入部５１の画像情報表示色の明度６２又は彩度６３と前ドア３０２の下地色の明度６２又は彩度６３との間で一定である場合の例を示したが、画像情報無記入部５２の下地色の明度６２又は彩度６３が画像情報記入部５１の画像情報表示色の明度６２又は彩度６３と前ドア３０２の下地色の明度６２又は彩度６３との間で段階的に変化するように設定しても良い。たとえば、画像情報無記入部５２の下地色の明度６２が、画像情報記入部５１の画像情報表示色の明度６２と前ドア３０２の下地色の明度６２との間で段階的に変化するように設定しても良い。また、画像情報無記入部５２の下地色の彩度６３が、画像情報記入部５１の画像情報表示色の彩度６３と前ドア３０２の下地色の彩度６３との間で段階的に変化するように設定しても良い。
【００３５】
この場合、画像情報無記入部５２の下地色の明度６２又は彩度６３を、画像情報記入部５１の画像情報表示色の明度６２又は彩度６３とリサイクル可能な部品の下地色の明度６２又は彩度６３との間で段階的に変化させている。すなわち、画像情報記入部５１とリサイクル可能な部品との間の領域において、画像情報無記入部５２の下地色には、明度６２又は彩度６３を変化させることによるグラデーション処理が施されている。これにより、画像情報記入部５１の画像情報表示色とリサイクル可能な部品の下地色とに対する画像情報無記入部５２の下地色のコントラスト比を低下させることができ、画像情報記入部５１や画像情報無記入部５２の下地色に用いられたインク等が点状となって再生部品に現れにくくすることができる。
【００３６】
（ｃ）前記実施形態では、第１および第２シート状部材５０ａ，５０ｂの画像情報無記入部５２の下地色の明度６２又は彩度６３が、画像情報記入部５１の画像情報表示色の明度６２又は彩度６３と前ドア３０２の下地色の明度６２又は彩度６３との間で一定である場合の例を示したが、画像情報無記入部５２の下地色が透明になるように下地色を設定しても良い。この場合、画像情報無記入部５２の下地色が透明になっているので、画像情報無記入部５２の下地色に用いられたインク等が点状となって再生部品に現れるのを防止することができる。
【図面の簡単な説明】
【００３７】
【図１】本発明の一実施形態にかかる画像形成装置の一例である複写機を示す概略断面構成図。
【図２】前記複写機の部品に貼付される第１シート状部材を示す図。
【図３】前記複写機の部品に貼付される第２シート状部材を示す図。
【図４】マンセル表色系を説明するための図。
【図５】前記マンセル表色系の色相を説明するための図。
【符号の説明】
【００３８】
５０    シート状部材
５０ａ  第１シート状部材
５０ｂ  第２シート状部材
５１ａ  画像情報
５１    画像情報記入部
５２    画像情報無記入部
６０    マンセル表色系
６１    色相
６２    明度
６３    彩度
３０２  前ドア（リサイクル可能な部品）
【図１】
2005305978.tif 000003
【図２】
2005305978.tif 000004
【図３】
2005305978.tif 000005
【図４】
2005305978.tif 000006
【図５】
2005305978.tif 000007